(57)【要約】【課題】地震などの際における塔状構造物の変形を抑制できる複合建物を提供する。【解決手段】本発明による複合建物１は、建物と、建物の内側において互いに離されて設けられた複数のコア壁３と、コア壁３の上部に設けられた塔状構造物５とを備え、塔状構造物５が複数本の脚４を備え、複数本の脚４がそれぞれ異なるコア壁３の上部６に取付けられた。互いに横に隣り合う一対のコア壁３の上部６において、離間距離が最短となる一方のコア壁３の上部６の一端部１１と他方のコア壁３の上部６の他端部１２とに、互いに横に隣り合う脚４がそれぞれ個々に取付けられた。【選択図】図１
2009209636.tif 000002
【特許請求の範囲】
【請求項１】
建物と、建物の内側において互いに離されて設けられた複数のコア壁と、コア壁の上部に設けられた塔状構造物とを備え、塔状構造物が複数本の脚を備え、複数本の脚がそれぞれ異なるコア壁の上部に取付けられたことを特徴とする複合建物。
【請求項２】
互いに横に隣り合う一対のコア壁の上部において、離間距離が最短となる一方のコア壁の上部の一端部と他方のコア壁の上部の他端部とに、互いに横に隣り合う脚がそれぞれ個々に取付けられたことを特徴とする請求項１に記載の複合建物。
【発明の詳細な説明】
【技術分野】
【０００１】
本発明は、建物の上に塔状構造物を備えた複合建物において、地震などの際における塔状構造物の変形を抑制可能な複合建物に関する。
【背景技術】
【０００２】
図５に示すように、建物６１の上に塔状構造物６２を備えた複合建物６０が知られている。この複合建物６０は、塔状構造物６２の複数本の脚６３が建物６１の上部に取付けられた構造である。
【特許文献１】特開２００２−１８８３２１号公報
【発明の開示】
【発明が解決しようとする課題】
【０００３】
図５に示すように、上記複合建物６０が風や地震などによる水平外力Ｆを受けると、塔状構造物６２の変形は、建物６１の頂部（塔状構造物６２の脚６３）の回転角による塔状構造物６２の回転変形と塔状構造物６２自体の変形とが足し合わされた変形となるために、塔状構造物６２に設けられた展望室や機械室における揺れが激しくなり、塔状構造物６２の居住性や機械の設置などに支障が生じる。
本発明は、上記問題点に鑑み、地震などの際における塔状構造物の変形を抑制できる複合建物を提供することを目的とする。
【課題を解決するための手段】
【０００４】
本発明による複合建物は、建物と、建物の内側において互いに離されて設けられた複数のコア壁と、コア壁の上部に設けられた塔状構造物とを備え、塔状構造物が複数本の脚を備え、複数本の脚がそれぞれ異なるコア壁の上部に取付けられたことを特徴とする。
互いに横に隣り合う一対のコア壁の上部において、離間距離が最短となる一方のコア壁の上部の一端部と他方のコア壁の上部の他端部とに、互いに横に隣り合う脚がそれぞれ個々に取付けられたことも特徴とする。
【発明の効果】
【０００５】
本発明によれば、複数本の脚がそれぞれ異なるコア壁の上部に取付けられたので、複合建物に水平外力が加わった場合に、塔状構造物にはコア壁の曲がり方向とは逆方向の回転変形が加わるため、塔状構造物の変形を小さく抑えることができ、複合建物の全体変形を抑えることができる。
離間距離が最短となる一方のコア壁の上部の一端部と他方のコア壁の上部の他端部とに互いに横に隣り合う脚がそれぞれ個々に取付けられたので、塔状構造物に加わるコア壁の曲がり方向とは逆方向の回転変形が大きくなるので、塔状構造物の変形をより小さく抑えることができ、複合建物の全体変形をより抑制できるようになる。
【発明を実施するための最良の形態】
【０００６】
図１乃至図３は最良の形態を示し、図１は複合建物の通常時と変形時とを別々に説明し、図２は複合建物の通常時と変形時との変化を示し、図３はコア壁の上部と脚との連結位置を示す。
図２に示すように、複合建物１は、ビルのような建物２と、建物２の内側において互いに離されて設けられた鉄筋コンクリート製の複数のコア壁３；３と、複数本の脚４；４・・・を有した鉄塔タワーのような塔状構造物５とを備え、塔状構造物５の複数本の脚４のそれぞれが、それぞれ異なるコア壁３の上部６に取付けられた構成である。
【０００７】
図３に示すように、コア壁３は、例えば４つ設けられ、建物２の上から見た場合に、矩形５０の角部付近を構成するような横断面Ｌ字状に形成された壁である。４つのコア壁３は、建物の中心ｃに近い位置に位置されたＬ字の角部２１の部分のそれぞれが、建物２の中心ｃを中心とした正方形５１の４つの角の位置に位置するように建設される。
塔状構造物５の脚４は、例えば４本設けられ、４本の脚４の下端のそれぞれは、４つのコア壁３の上部６におけるＬ字の角部２１の部分にそれぞれ個別に連結される。
【０００８】
図３において符号７で示した○印は、４つのコア壁３の上部６に対する４個の脚４の連結位置を示し、符号１０で示した○印は、建物２の柱の位置を示す。この脚４の連結位置７は、互いに横に隣り合う一対のコア壁３；３を跨ぐように互いに隣り合う一対の脚４；４の連結位置７；７間の離間距離ａが最短距離となる位置である。換言すれば、図１（ａ）に示すように、コア壁３の横から見た場合、互いに横に隣り合う一対のコア壁３；３の上部６において一方のコア壁３の上部６の一端部１１とこの一端部１１に最も近い他方のコア壁３の上部６の他端部１２とに、互いに横に隣り合う脚４；４がそれぞれ個々に取付けられた構造とした。
【０００９】
以上の構成において、図１（ｂ）に示すように、複合建物１が水平外力Ｆを受けて一方のコア壁３と他方のコア壁３とが同一方向に変形した場合、一方のコア壁３の上部６と脚４との連結位置７が下方（矢示Ｆ１の方向）に下がり、他方のコア壁３の上部６と脚４との連結位置７が上方へ（矢示Ｆ２の方向）に上がる。即ち、コア壁３が変形した場合に、コア壁３の回転方向とは逆方向（矢示Ｆ３の方向）への塔状構造物５の回転角が大きくなり、塔状構造物５に加わるコア壁３の曲がり方向とは逆方向の回転変形が大きくなるので、複合建物１に水平外力が加わった場合の塔状構造物５の変形を小さく抑えることができる。これにより、塔状構造物５の揺れも小さくなるので、塔状構造物５の居住性が向上し、振動を嫌う機械の設置も可能となる。また、複合建物１の全体変形を抑えることができる。
【００１０】
特に、互いに横に隣り合う一対のコア壁３；３を跨ぐように互いに隣り合う一対の脚４；４の連結位置７；７間の離間距離ａが最短距離となるようにしたので、複合建物１が水平外力Ｆを受けて、互いに横に隣り合う一対のコア壁３；３が変形した場合に、一方のコア壁３と脚４との連結位置７と他方のコア壁３と脚４との連結位置７との高低差が大きくなり、矢示Ｆ３の方向への回転角がより大きくなるので、塔状構造物５の変形抑制効果、複合建物１の全体変形抑制効果の高い複合建物１を得ることができる。
【００１１】
最良の形態２
図４を参照し、最良の形態２を説明する。尚、図３と同一部分は同一符号を付してその詳細な説明を省略する。
４つのコア壁３は、Ｌ字の角部２１の部分のそれぞれが、建物２の中心ｃを中心とした正方形の４つの角の位置に位置するように建設される。この場合、コア壁３のＬ字の角部２１の部分がＬ字の角部２１以外の部分よりも建物２の中心ｃから遠い位置に位置するように建設される。４つのコア壁３の配置は、最良の形態２のような配置に建設される場合が多い。
塔状構造物５の脚４は、例えば８本設けられ、８本の脚４の下端のそれぞれは、４つのコア壁３の上部６におけるＬ字の両方の端部２５；２５にそれぞれ個別に連結される。
【００１２】
図４において符号２５で示した○印は、４つのコア壁３の上端面に対する８個の脚４の連結位置を示す。この脚の連結位置は、互いに横に隣り合うコア壁３；３を跨ぐように互いに隣り合う一対の脚の連結位置２５；２５間の離間距離ａが最短距離となる位置である。換言すれば、図１（ａ）に示すように、コア壁３の横から見た場合、互いに横に隣り合う一対のコア壁３；３の上部６において一方のコア壁３の上部６の一端部１１（端部（連結位置）２５）とこの一端部１１に最も近い他方のコア壁３の上部６の他端部１２（端部（連結位置）２５）とに、互いに横に隣り合う脚４；４がそれぞれ個々に取付けられた構造とした。
【００１３】
最良の形態２においては、より一般的なコア壁３の配置構成において最良の形態１と同様な効果を得ることができる。
【産業上の利用可能性】
【００１４】
塔状構造物５にコア壁３の曲がり方向とは逆方向の回転角が発生するようにすればよいので、互いに横に隣り合う一対のコア壁３；３を跨ぐように互いに隣り合う一対の脚４；４の連結位置７；７間の離間距離ａは、必ずしも最短距離でなくともよい。つまり、図１（ａ）で説明すると、一対のコア壁３；３同士において互いに近い側を内側とすると、互いに隣り合う一対の脚４；４の連結位置７；７を、一方のコア壁３の内側と他方のコア壁の外側とに設けてもよい。各コア壁３；３における内側と外側との間の中間部に連結位置７；７をそれぞれ設けるようにしてもよい。一対の脚４；４の連結位置７；７を、一方のコア壁３の外側と他方のコア壁３の外側とに設けてもよい。即ち、一対の脚４；４の連結位置７；７を、建物２の内側において互いに離されて設けられた複数のコア壁３の個々に設定すれば、一対の脚４；４の連結位置７；７を１つのコア壁３に設けた構成と比べて変形抑制効果が得られる。
【図面の簡単な説明】
【００１５】
【図１】複合建物の通常時と変形時とを別々に説明した図（最良の形態１；２）。
【図２】複合建物の通常時と変形時との変化を示した図（最良の形態１；２）。
【図３】コア壁の上部と脚との連結位置を示す図（最良の形態１）。
【図４】コア壁の上部と脚との連結位置を示す図（最良の形態２）。
【図５】従来の複合建物の通常時と変形時との変化を示した図。
【符号の説明】
【００１６】
１  複合建物、２  建物、３  コア壁、４  脚、５  塔状構造物、６  コア壁の上部、
ａ  離間距離。
【図１】
2009209636.tif 000003
【図２】
2009209636.tif 000004
【図３】
2009209636.tif 000005
【図５】
2009209636.tif 000006
【図４】
2009209636.tif 000007